(57)【要約】【課題】デジタル放送受像機において、番組予約等の操作中に待ち時間を生じることなく、かつスムーズな画面遷移で番組予約を行うことができる方法及び装置を提供する。【解決手段】デジタル放送受像機において番組予約を行う方法であって、電子番組案内データに基づいて番組一覧表を前記受像機画面に表示するステップと、前記番組一覧表から１以上の番組を選択し仮予約するステップと、前記仮予約した各番組を個別に順次表示し、各番組を本予約するステップと、からなり、番組が仮予約されると、該番組の情報を電子番組案内データから取得することを特徴とする方法。【選択図】　図１
2004015632.tif 000002
【特許請求の範囲】
【請求項１】
デジタル放送受像機において番組予約を行う方法であって、電子番組案内データに基づいて番組一覧表を前記受像機画面に表示するステップと、
前記番組一覧表から１以上の番組を選択し仮予約するステップと、
前記仮予約した各番組を個別に順次表示し、各番組を本予約するステップと、からなる方法。
【請求項２】
請求項１に記載の方法において、番組が仮予約されると、該番組に関する付加情報を電子情報信号から取得することを特徴とする方法。
【請求項３】
前記番組を本予約するステップにおいて、前記仮予約した番組を一覧表示し、該一覧表示から選択した番組を一括して本予約することを特徴とする請求項１に記載の方法。
【請求項４】
前記番組を本予約するステップにおいて、前記仮予約した各番組の動作方式を設定することができることを特徴とする請求項１に記載の方法。
【請求項５】
前記番組予約は、視聴予約及び録画予約を含むことを特徴とする請求項１に記載の方法。
【請求項６】
前記電子番組案内データならびに電子情報信号は、デジタル放送波又は通信ネットワーク又は外部記録装置を通じて取得することを特徴とする請求項１に記載の方法。
【請求項７】
デジタル放送受像機においてコンテンツの予約を行う方法であって、
コンテンツ情報データに基づいてコンテンツ一覧表を前記受像機画面に表示するステップと、
前記コンテンツ一覧表から１以上のコンテンツを選択し仮予約するステップと、前記仮予約した各コンテンツを個別に順次表示し、各コンテンツを本予約するステップと、からなる方法。
【請求項８】
請求項７に記載の方法において、コンテンツが仮予約されると、該コンテンツの情報を電子番組案内データから取得することを特徴とする方法。
【請求項９】
前記コンテンツを本予約するステップにおいて、前記仮予約したコンテンツを一覧表示し、該一覧表示から選択したコンテンツを一括して本予約することを特徴とする請求項７に記載の方法。
【請求項１０】
前記コンテンツは、例えば、ショッピング、ホームバンキング、プログラムのダウンロード、映像および音楽配信、チケット予約、プレゼント応募、を含むことを特徴とする請求項７に記載の方法。
【請求項１１】
デジタル放送受像機において番組予約を行う装置であって、
電子番組案内データに基づいて番組一覧表を前記受像機画面に表示する手段と、前記番組一覧表から１以上の番組を選択し仮予約する手段と、
前記仮予約した各番組を個別に順次表示し、各番組を本予約する手段と、からなり、
番組が仮予約されると、該番組の情報を電子番組案内データから取得することを特徴とする装置。
【請求項１２】
デジタル放送受像機においてコンテンツの予約を行う装置であって、
コンテンツ情報データに基づいてコンテンツ一覧表を前記受像機画面に表示する手段と、
前記コンテンツ一覧表から１以上のコンテンツを選択し仮予約する手段と、
前記仮予約した各コンテンツを個別に順次表示し、各コンテンツを本予約する手段と、からなり、
コンテンツが仮予約されると、該コンテンツの情報をコンテンツ情報データから取得することを特徴とする装置。
【発明の詳細な説明】
【０００１】
【発明の属する技術分野】
本発明は、デジタル放送の受像機において、受信した電子番組案内を処理する方法及び装置に関し、特に、電子番組案内に基づいて、番組予約を行う方法およびこれに用いる装置に関する。
【０００２】
【従来の技術】
デジタル放送は、デジタル圧縮された複数の番組のデジタルデータを時分割多重化した状態でデジタル放送波とし、地上波として又は衛星通信を介して放送するものである。日本においては、ＣＳデジタル放送、ＢＳデジタル放送が既に実用化されており、さらに現行の地上波アナログ放送もデジタル放送に切り替えられようとしている。
【０００３】
デジタル放送では、放送波に、放送番組のデータのみならず、放送中および放送予定の番組に関する情報や各種コンテンツに関する情報をデジタルデータとして含めることにより、視聴者の利便性を向上することが行われている。このようなコンテンツは、例えば、ショッピング、ホームバンキング、プログラムのダウンロード、映像や音楽の配信などを含む。また、コンピュータネットワークの普及により、放送番組に関する情報をこれらのネットワークを介して提供するサービスも行われるようになっている。
【０００４】
これらの方法で提供される電子情報の一つは、電子番組案内（Ｅｌｅｃｔｒｏｎｉｃ　Ｐｒｏｇｒａｍ　Ｇｕｉｄｅ、以下「ＥＰＧ」と表記する）である。ＥＰＧは、放送局名、番組名、番組開始時刻、番組終了時刻、等の情報が含まれている。さらに電子情報には、番組に関する付加情報として番組内容の詳細情報、関連サービス情報などを含んでいる。これらの電子情報は放送波に含めることもできる。一般的に、デジタル放送の受像機は、受信した電子情報を一時的に記憶する記憶媒体（ＩＣメモリ、磁気式ハードディスク等）、記憶した電子情報を処理ためのコントローラ等を有する。典型的には、視聴者の操作により、コントローラは記憶媒体に記憶された電子情報のうち、ＥＰＧデータの所定部分を受像機画面上に表示する。例えば、指定日時の番組一覧表を画面上に表示し、視聴者はこの番組表を操作して、特定の番組の詳細情報を閲覧したり、番組予約を行うようにすることができる。
【０００５】
視聴者がこのような機能を使用すると、通常、ＥＰＧデータに基づいた番組一覧表が画面に表示される。この番組一覧表は、例えば、所定の日時において、縦軸にチャンネル（放送局）を、横軸に時刻を取って番組名を配列したテーブルとして表示することができる。視聴者は、この画面上に表示されるカーソル等を操作して、任意の番組を選択し、その番組の詳細情報を表示したり、番組予約を行ったりすることができるようになっている。番組が選択されると、受像機の画面は当該番組の詳細情報等の表示画面に遷移する。視聴者は、この画面から選択した番組の詳細情報を得ることができ、また予約実行時における動作方法の選択や番組予約の設定等の操作をすることができる。ここで、番組予約とは、選択した番組の開始時刻になると受像機が自動選局などの処理を行う視聴予約や、選択した番組を受像機内蔵の又は外部接続した記憶装置（アナログビデオレコーダ、デジタルビデオレコーダ等）に録画する録画予約などのことである。
【０００６】
図５は、デジタル放送受信機における従来の番組予約の処理手順を示す図である。社団法人電波産業会が定めるＡＲＩＢ規格によれば、ＢＳデジタル放送において、ＥＰＧデータは標準で１０秒、最大２０秒の周期で繰り返し放送される。ここで、図５を参照しながら、従来の方法で３つの番組を予約する場合の予約処理手順を考えてみる。まず、視聴者が番組一覧表から番組１を選択すると、受像機のコントローラはＥＰＧデータから番組１の詳細情報を取得しようとする。この時、コントローラは直後に再送されるＥＰＧデータを取得するので、番組１を選択してからＥＰＧデータを取得するまで、数秒から最大で約１０秒の待ち時間が生じることになる。ＥＰＧデータを取得すると、番組１の詳細情報が画面に表示される。この画面で、視聴者が視聴予約又は録画予約の操作を行うと、番組１の予約操作は完了し、画面は再び番組一覧表を表示する。なお、視聴者が番組１の詳細情報を見て予約したくないと考えた場合には、この画面をキャンセルして、再び番組一覧表の表示画面に戻るよう操作すればよい。次に、同様にして、番組２及び３の予約操作を順次行うことができる。
【０００７】
【発明が解決しようとする課題】
しかしながら、図５を見れば明らかなように、上記の従来の番組予約方法では、番組一覧表において視聴者が予約しようとする番組を選択する度に、電子情報信号から当該番組の詳細情報を取得するための待ち時間が生じてしまうため、視聴者にとっては非常に不便である。
【０００８】
また、複数の番組について予約又は詳細情報表示の操作を行う場合に、番組一覧表と番組詳細情報の表示画面が交互に頻繁に切り替わるので、表示画面の書き換え処理による負荷が増大し、画面表示がスムーズに行われなくなってしまい、この結果、さらに待ち時間が増加してしまうという問題があった。
【０００９】
本発明は、このような問題に鑑み、番組予約等の操作中に待ち時間を生じることなく、かつスムーズな画面遷移で番組予約操作を行うことができる方法及び装置を提供しようとするものである。
【００１０】
【課題を解決するための手段】
本発明は、デジタル放送受像機において番組予約を行う方法であって、ＥＰＧデータに基づいて番組一覧表を前記受像機画面に表示するステップと、前記番組一覧表から１以上の番組を選択し仮予約するステップと、前記仮予約した各番組を個別に順次表示し、各番組を本予約するステップと、からなる方法を提供する。この方法によれば、画面表示の遷移回数が減少するとともに、効率的な画面表示切り替えを行うことができるので、予約操作中に画面処理にかかる負荷を低減することができる。
【００１１】
また、本発明では、番組が仮予約されると、該番組の付加情報を電子情報から取得するようになっているのが好ましい。この方法によれば、番組を仮予約した時点で、受像機が付加情報を取得するので、本予約を行うときには既に取得済みであり、したがって、本予約の操作中に待ち時間が生じないようになっている。
【００１２】
また、本発明では、前記番組を本予約するステップにおいて、前記仮予約した番組を一覧表示し、該一覧表示から選択した番組を一括して本予約するようにしてもよい。また、前記番組を本予約するステップにおいて、前記仮予約した各番組の動作方式の設定ができるようになっていてもよい。本発明において、前記番組予約とは、視聴予約及び録画予約を含んでいる。
また、本発明では、前記ＥＰＧデータを含む電子情報は、デジタル放送波又は通信ネットワークを通じて受信することができる。
【００１３】
さらに、本発明は、デジタル放送受像機においてコンテンツの予約を行う方法であって、コンテンツ情報データに基づいてコンテンツ一覧表を前記受像機画面に表示するステップと、前記コンテンツ一覧表から１以上のコンテンツを選択し仮予約するステップと、前記仮予約した各コンテンツを個別に順次表示し、各コンテンツを本予約するステップと、からなる方法を提供する。この方法によれば、画面表示の遷移回数が減少するとともに、効率的な画面表示切り替えを行うことができるので、予約操作中に画面処理にかかる負荷を低減することができる。
【００１４】
また、本発明では、コンテンツが仮予約されると、該コンテンツの情報を付加情報データから取得するようになっているのが好ましい。この方法によれば、コンテンツを仮予約した時点で、受像機が付加情報データを取得するので、本予約を行うときには既に付加情報データを取得済みであり、したがって、本予約の操作中に待ち時間が生じないようになっている。
【００１５】
また、本発明では、前記コンテンツを本予約するステップにおいて、前記仮予約したコンテンツを一覧表示し、該一覧表示から選択したコンテンツを一括して本予約するようにしてもよい。
また、本発明において、前記コンテンツは、ショッピング、ホームバンキング、プログラムのダウンロード、映像および音楽配信、チケット予約、プレゼント応募、を含んでいる。
【００１６】
さらに、本発明は、デジタル放送受像機において番組予約を行う装置であって、ＥＰＧデータに基づいて番組一覧表を前記受像機画面に表示する手段と、前記番組一覧表から１以上の番組を選択し仮予約する手段と、前記仮予約した各番組を個別に順次表示し、各番組を本予約する手段と、からなり、番組が仮予約されると、該番組の付加情報を電子情報信号から取得することを特徴とする装置を提供する。
【００１７】
さらに、本発明は、デジタル放送受像機においてコンテンツの予約を行う装置であって、コンテンツ情報データに基づいてコンテンツ一覧表を前記受像機画面に表示する手段と、前記コンテンツ一覧表から１以上のコンテンツを選択し仮予約する手段と、前記仮予約した各コンテンツを個別に順次表示し、各コンテンツを本予約する手段と、からなり、コンテンツが仮予約されると、該コンテンツの情報を付加情報データから取得することを特徴とする装置を提供する。
【００１８】
【発明の実施の形態】
以下、添付図面を参照しながら、本発明の実施の形態を詳細に説明する。
まず、本発明の一実施形態において用いるデジタル放送受像機について説明する。
図１は、本実施形態に用いるデジタル放送受像機の構成を概略的に表すブロック図である。このデジタル放送受像機は、アンテナ１、チューナ２、信号分離器３、映像復号器４、映像増幅回路５、電子スイッチ６、表示ドライバ７、表示装置８、同期分離回路９、パターンジェネレータ１０、マイクロコントローラ１１、リモコン受光部１２、情報記録装置１３、映像記録装置１４、及び信号記録装置１５から構成されている。
【００１９】
このデジタル放送受像機において、スイッチ６は、映像増幅回路５、パターンジェネレータ１０及び表示ドライバ７の３点を選択的に接続する。スイッチ６がａ側の固定端子に接続されているときは、映像増幅回路５からの映像信号が、ｂ側の固定端子に接続されているときは、パターンジェネレータ１０からのパターン信号が、それぞれ表示ドライバ７に供給される。
【００２０】
マイクロコントローラ１１は、マイクロコンピュータを有してなるデジタル放送受信機システム制御用のマイクロコントローラであり、デジタル放送受像機の各構成部分、特に、チューナ２、パターンジェネレータ１０、情報記憶装置１３、映像記録装置１４及び信号記録装置１５の動作を制御する。
【００２１】
情報記録装置１３、信号記録装置１５は、デジタル放送データ等を電子的に記録する手段、例えばＩＣメモリ、磁気式ハードディスク等を有している。映像記録装置１４は、ＶＣＲに代表される映像をアナログ的に記録する手段を有する。なお、本発明では、デジタル放送受像機に映像記録装置１４及び信号記録装置１５を必ずしも内蔵する必要はなく、例えば、映像記録装置１４及び信号記録装置１５を外部装置として利用することも可能である。この場合、デジタル放送受像機は外部インターフェースを備えることにより、これらの外部装置を接続することができる。この外部インターフェースには、例えば、ＩＥＥＥ１３９４等の統一規格が使用されている。マイクロコントローラ１１はこのような外部インターフェースを介してこれらの外部装置との間でデータを送受信し、またこれらの外部装置の動作を制御することができる。
【００２２】
マイクロコントローラ１１に接続された受光部１２は、赤外線センサなど有しており、リモートコントローラ等によるコントロール信号を受信する。視聴者が、リモートコントローラ等により操作を行うと、マイクロコントローラ１１は、受光部１２において受信したコントロール信号を復号した後、視聴者の操作に従って、各構成部分を作動し、映像の記録及び再生、画面表示の切り替えなどを行う。
【００２３】
このように構成されたデジタル放送受像機において、アンテナ１により受信されたデジタル放送波は、チューナ２において中間周波信号に変換されて、信号分離器３及び信号記録装置１５に出力される。この中間周波信号は、信号分離器３において、符号化された映像信号と符号化された付加情報信号に分離され、それぞれ映像復号器４及びマイクロコントローラ１１に出力される。符号化された映像信号は映像復号器４において復号され、映像増幅回路５及び同期分離回路９に出力される。復号された映像信号は、映像増幅回路５を経て、電子スイッチ６のａ側の固定端子及び映像記録装置１４に出力される。この電子スイッチ６より出力された映像信号は、ＣＲＴドライバ７を介して表示装置８に映像として表示される。
【００２４】
一方、同期分離回路９では、映像復号器４から出力された映像信号から、水平及び垂直の同期信号ＨＤ及びＶＤが分離され、これらの同期信号は基準同期信号としてパターンジェネレータ１０に供給される。パターンジェネレータ１０は、マイクロコントローラ１１の制御に従って、電子スイッチ６のｂ側の固定端子に各種信号を出力するとともに、電子スイッチ６を制御する。
【００２５】
また、信号分離器３により分離された電子情報信号は、マイクロコントローラ１１に供給される。マイクロコントローラ１１は、符号化されたＥＰＧデータや付加情報データの復号処理を行い、必要に応じて、これを情報記録装置１３に記録する。本実施形態では、電子情報信号はＥＰＧデータや付加情報データを含むものとする。
【００２６】
ここで、視聴者がリモートコントローラ等により番組情報表示又は番組予約の操作を行うと、マイクロコントローラ１１は、パターンジェネレータ１０を制御し、電子スイッチ６をｂ側固定端子に接続するとともに、情報記録装置１３に記録されたＥＰＧデータに基づいて番組一覧表を作成し、これをパターンジェネレータ１０を介して表示装置８に表示する。
【００２７】
図２は、本実施形態において表示装置８に表示される番組一覧表の一例を示す図である。この例では、横方向に時間軸を取り、縦方向にチャンネル（放送局）を取って番組名を配列した一覧表示としている。この画面において、例では選択された番組１６は強調表示されるようになっており、番組一覧表の右下隅には仮予約した番組の放映時間の総計１７が表示されるようになっている。視聴者は、この画面を見ながら、リモートコントローラ等により番組予約の操作を行うことができる。
【００２８】
視聴者が、この画面上に表示されるカーソル等を操作して任意の番組を選択すると、マイクロコントローラ１１は、選択された番組の仮予約を行う。このとき、マイクロコントローラ１１は、適宜、パターンジェネレータ１０を制御し、表示装置８に表示された番組一覧表と仮予約された番組の予約総計時間１７の更新を行う。これにより、視聴者は、番組を仮予約する際に予約総計時間１７を参照することにより、例えば、映像記録装置１４の記録可能時間を超える時間分の仮予約を行っているかどうかを容易に知ることができるという利点がある。予約総計時間１７が映像記録装置１４の記録可能時間を超える場合には、いくつかの番組の仮予約を解除して記録可能時間以下に収めるか、あるいは何らかの方法で残記録時間を増やすような操作を行うことが可能である。本実施形態では、仮予約を解除するには、図２の画面において、選択されている番組１６をもう一度選択すればよい。
【００２９】
視聴者が番組を選択して仮予約の操作を行うと、マイクロコントローラ１１は、信号分離器３より周期的に提供される符号化された電子情報信号の中から、仮予約された番組の付加情報データに該当する部分を取得、この信号を復号化処理し、これを情報記録装置１３に番組詳細情報及び番組関連情報として記録する。
【００３０】
なお、視聴者が複数の番組を予約したい場合には、図２の画面において、複数の番組を順次選択し仮予約すればよい。これに応じて、マイクロコントローラ１１もまた、選択された複数の番組の番組詳細情報をＥＰＧデータから順次取得し、情報記録装置１３に記録する。
【００３１】
視聴者は、予約したい番組を全て選択し終わると、リモートコントローラ等によって所定の操作を行うことにより、本予約の操作に移行することができる。本予約に移行するときに、マイクロコントローラ１１は、適宜、上記においてＥＰＧデータから取得し情報記録装置１３に記録した付加情報データに基づいて、パターンジェネレータ１０を制御して、仮予約された番組の番組詳細情報を表示装置８に表示する。
【００３２】
図３は、仮予約された番組の番組詳細情報を表示する画面の一例を示す図である。この画面に表示される番組詳細情報１８は、当該番組の番組名、放送局、放映時間、題名、出演者、音声方式、字幕情報、録画の可不可などを含んでいるが、これら以外にも様々な情報を表示することができる。また、この画面において、当該番組を録画もしくは再生する際の動作設定項目１９を設定できるようになっている。この例では、記録方式、音声方式、放送延長対応、字幕表示及び双方向通信機能等のオプションを選択することができるようになっているが、これらに限られるものではない。
【００３３】
図３の画面において、視聴者は、画面下方の４つのアイコンから選択することにより、「視聴予約」、「録画予約」、「予約しない（予約キャンセル）」、及び「次の予約へ（スキップ）」のいずれかの操作を行うことができる。「視聴予約」又は「録画予約」を選択すると、当該番組について本予約を行ったことになり、マイクロコントローラ１１は情報記録装置１３に所定の予約情報及びオプション情報を記録するとともに、パターンジェネレータを制御して、次の仮予約された番組の番組詳細情報を表示装置８に表示する。「予約しない（予約キャンセル）」又は「次の予約へ（スキップ）」を選択すると、マイクロコントローラ１１は情報記録装置１３に予約情報等を記録せずに、次の仮予約された番組の番組詳細情報を画面に表示する。このとき、「予約しない（予約キャンセル）」を選択した場合には、当該番組の仮予約を解除する。仮予約された全ての番組について視聴予約、録画予約又は予約キャンセルの操作を行うと、本予約の操作は終了し、マイクロコントローラ１１は画面に番組一覧表を再び表示する。このとき、番組一覧表上の予約を行った番組については、他と異なる表示をすることにより、視聴者がどの番組を予約しているか判別できるようにしてもよい。あるいは、番組一覧表を表示することなしに、番組を表示するようにしてもよい。また、図３の画面において、全ての仮予約をキャンセルする操作が行えるようにしてもよい。
【００３４】
なお、図３に示す画面表示例では、仮予約された番組の番組詳細情報を１画面に１番組ずつ順次表示していく例を示したが、本発明の方法はこれに限定されるものではなく、例えば、仮予約された番組及びその詳細情報を１画面に一覧表示するようにしてもよい。この場合、視聴者は一覧表示された番組の中から本予約を行う番組を選択した後、これらを一括して本予約することにより、簡便に本予約操作を行うことができる。
【００３５】
このようにして予約された番組が放送される時間になると、マイクロコントローラ１１は、本予約において情報記録装置１３に記録された当該番組の予約情報及び動作設定に基づいて、当該番組の表示又は録画を開始する。当該番組を視聴予約していた場合には、放映開始時刻に受像機のチャンネルを予約した番組のチャンネルに変更する（受像機がスタンバイ状態になっている場合は電源をＯＮにした後、チャンネル変更する）。当該番組を録画する場合には、映像記録装置１４及び信号記録装置１５のうちいずれか一方あるいはその両方を制御し、映像及び／又は放送信号の記録を行う。
【００３６】
次に、本実施形態の番組予約方法と従来の番組予約方法とを比較する。図４は、本実施形態の番組予約方法及び従来の番組予約方法のそれぞれにおける予約操作手順を、時間経過に沿って模式的に示した比較図である。ここでは、３つの番組を予約する場合を考える。なお、図４では、判りやすくするため、電子情報信号の再送周期を１０秒に固定し、また画面遷移にかかる時間を０として簡略化している。図４において、従来の予約方法では、それぞれ番組１〜３を選択してから予約に必要な電子情報を取得するために、最大約１０秒の待ち時間が生じている。一方、本実施形態の予約方法では、例えば、視聴者が番組２の仮予約の操作を行っている間に、マイクロコントローラ１１が仮予約した番組１の電子情報を取得している。このように、視聴者が仮予約又は本予約の操作を行っている間に、マイクロコントローラ１１が仮予約した番組の電子情報を順次取得しているので、視聴者は待ち時間なくして一連の操作をスムーズに行うことができる。また、図４を見れば明らかなように、予約操作全体にかかった時間を比較しても、本実施形態の予約方法の方がより短時間で予約操作を終えることができる。さらに、ここでは画面遷移にかかる時間を０として説明したが、実際には、図２に示すような番組一覧表画面と図３に示すような番組詳細情報画面とを交互に３回ずつ表示しなければならないのに従来の予約方法に比べて、番組一覧表画面において一連の仮予約操作を行った後、番組１〜３の番組詳細情報画面を順次表示する本実施形態の予約方法は、画面処理にかかる負荷が少ないため、画面遷移をよりスムーズに行うことができる。
【００３７】
以下に、本発明の他の実施形態を説明する。
デジタル放送においては、番組の他に、様々なコンテンツが提供される。このコンテンツは、例えば、ショッピング、ホームバンキング、プログラムのダウンロード、映像および音楽配信、チケット予約、プレゼント応募、などを含む。
【００３８】
本実施形態は、上記の実施形態と同様の構成を有するデジタル放送受像機において、同様の方法で実施することができる。図１に示すデジタル放送受像機において、コンテンツ付加情報を含む電子情報信号は、信号分離器３により映像信号から分離されてマイクロコントローラ１１に供給される。マイクロコントローラ１１はこの信号を復号した後、コンテンツ付加情報データとして情報記録装置１３に記録する。
【００３９】
本実施形態において提供されるコンテンツには、上記のように様々なカテゴリーのものが含まれており、それぞれにおいて予約、注文等の操作は異なり得る。そこで、視聴者は、まず利用可能なコンテンツの一覧表を表示させ、所望のコンテンツを選択した後に、当該コンテンツにおける商品、サービス、アイテム等の選択画面へと進むことができるようにする。ここでは、例としてショッピングを行う場合の操作及び処理手順を説明する。
【００４０】
まず、視聴者がリモートコントローラ等を操作すると、マイクロコントローラ１１は情報記録装置１３に記録されたコンテンツ情報データを参照して、表示装置８に現在利用可能なコンテンツの一覧表を表示させる。このとき、例えば、「ショッピング」、「ホームバンキング」、「プログラムのダウンロード」、「チケット予約」及び「プレゼント応募」の５カテゴリーが表示されているとする。視聴者は、画面上のカーソルを操作して、「ショッピング」を選択すると、マイクロコントローラ１１は、表示装置８をショッピングの画面に切り替える。ここで、複数のショップによるショッピングサービスが利用可能な場合には、視聴者は好みのショップを選択することができる。
【００４１】
次に、画面には購買可能なショッピングアイテム（商品）の一覧表が表示される。ここで、視聴者が複数のアイテムを予約（又は注文）したい場合には、まず、ショッピングアイテム一覧表の中から所望のショッピングアイテムを順次選択し仮予約する。このとき、マイクロコントローラ１１は、信号分離器３から供給される電子情報信号の中から、仮予約されたショッピングアイテムに該当する付加情報部分を取得し、これを（アイテム）詳細情報として情報記録装置１３に記録する。
【００４２】
視聴者は、ショッピングアイテム一覧表において所望のショッピングアイテムを全て選択し終わると、続いて本予約操作を行う。本予約を行う画面には、仮予約しておいた各ショッピングアイテムがその詳細情報とともに、１画面に１ショッピングアイテムずつ順次表示されるか、あるいは仮予約したショッピングアイテムの一部又は全部が１画面に一覧表示される。この画面において視聴者は、各ショッピングアイテムの詳細情報を確認するとともに、所望のショッピングアイテムについてオプション設定を行った後、当該ショッピングアイテムの本予約（又は注文確定）を行う。なお、ショッピングサービスにおいては、ショッピングアイテムを選択した後に、当該アイテムの数量も選択できるようになっているのが好ましい。また、本予約操作の最後に支払方法、配送方法等の情報を入力する画面を表示させるようにする。全てのショッピングアイテムについて、本予約又はキャンセルを行い、支払方法、配送方法等の情報を入力し終わると、ショッピングサービスの予約操作は完了する。
【００４３】
以上、ショッピングサービスを例にとって本実施形態を説明したが、他にも、ホームバンキング、プログラムのダウンロード、映像や音楽の配信依頼、チケット予約、プレゼント応募等の予約（又は注文）操作において、複数のアイテムを選択し予約（又は注文）するステップについては、上記同様の方法を用いることができる。
【００４４】
以上説明した本実施形態のコンテンツ予約方法によれば、上記の番組予約にかかる実施形態同様に、図４に示すように、電子情報取得のための待ち時間がなくなるので、視聴者は短時間でスムーズに予約操作を行うことができる。また、本実施形態では、画面遷移にかかる時間も短縮されるため、一連の予約操作をさらにスムーズに行うことができる。
【００４５】
なお、本発明によれば、デジタル放送受像機において、上記の２つの実施形態を同時に実施することもできる。
本発明の番組予約又はコンテンツの予約を行う方法及び装置は、上記した実施形態に限定されるものではなく、本発明の要旨を逸脱しない範囲内において、様々な変更及び改良を加えることが可能である。
【００４６】
【発明の効果】
以上、説明したように本発明の各実施形態によれば、デジタル放送において番組予約又はコンテンツ予約を行う際に、視聴者は予約操作中に待ち時間強いられることなく、短時間でスムーズに操作を行うことができる。また、画面遷移処理にかかる負荷が軽減されるので、画面表示もスムーズに行われるようになる。
【図面の簡単な説明】
【図１】本発明の一実施形態に用いるデジタル放送受像機の構成を概略的に表すブロック図である。
【図２】本発明の一実施形態において表示装置に表示される番組一覧表の一例を示す図である。
【図３】本発明の一実施形態において仮予約された番組の番組詳細情報の表示画面の一例を示す図である。
【図４】本発明の番組予約方法及び従来の番組予約方法における予約操作手順を、時間経過に沿って示した比較図である。
【図５】デジタル放送受信機における従来の番組予約の処理手順を示す図である。
【符号の説明】
１　　　　アンテナ
２　　　　チューナ
３　　　　信号分離器
４　　　　映像復号器
５　　　　映像増幅回路
６　　　　電子スイッチ
７　　　　ドライバ
８　　　　表示装置
９　　　　同期分離回路
１０　　　パターンジェネレータ
１１　　　マイクロコントローラ
１２　　　リモコン受光部
１３　　　情報記録装置
１４　　　映像記録装置
１５　　　信号記録装置
１６　　　仮予約された番組
１７　　　予約総計時間
１８　　　番組詳細情報
１９　　　オプション項目
【図１】
2004015632.tif 000003
【図２】
2004015632.tif 000004
【図３】
2004015632.tif 000005
【図４】
2004015632.tif 000006
【図５】
2004015632.tif 000007